(57)【要約】【課題】コンパクトに折り畳むことができ、取扱いが容易な、袋状容器を自立保持できる保持具の提供を目的とする。【解決手段】袋状容器を自立保持するための保持具であって、保持具はベース部材と、当該ベース部材に対して折り畳み自在に設けた一対の保持部材を備え、前記一対の保持部材は当該保持部材の間に袋状容器を挿入するものであるとともに、少なくとも一方の保持部材はベース部材に対して起立状態を維持するロック機構を有することを特徴とする。【選択図】  図１
2013147278.tif 000002
【特許請求の範囲】
【請求項１】
袋状容器を自立保持するための保持具であって、
保持具はベース部材と、当該ベース部材に対して折り畳み自在に設けた一対の保持部材を備え、
前記一対の保持部材は当該保持部材の間に袋状容器を挿入するものであるとともに、少なくとも一方の保持部材はベース部材に対して起立状態を維持するロック機構を有することを特徴とする袋状容器の保持具。
【請求項２】
前記一対の保持部材のうち、少なくとも一方はベース部材に対して回動自在に連結してあるとともに開放端側の間隔が相互に開閉自在であり、前記開放端側の間隔寸法が所定の大きさ以内に規制されていることを特徴とする請求項１記載の袋状容器の保持具。
【請求項３】
前記一対の保持部材が所定の角度起立し、且つ前記開放端側の間隔寸法が所定の大きさになったときに前記ロック機構がロック状態になることを特徴とする請求項２記載の袋状容器の保持具。
【請求項４】
前記連結部は一対の保持部材間であって下端側の相互の位置関係を保つための位置合せ手段を有することを特徴とする請求項２又は３記載の袋状容器の保持具。
【請求項５】
前記一対の保持部材は対向するその内側面にそれぞれ袋状容器の側面に吸着する吸着部材、又は粘着する粘着部材を有することを特徴とする請求項２〜４のいずれかに記載の袋状容器の保持具。
【請求項６】
前記ベース部材は略枠形状であり、折り畳んだ状態で前記一対の保持部材が当該ベース部材の内側に位置することを特徴とする請求項１〜５のいずれかに記載の袋状容器の保持具。
【発明の詳細な説明】
【技術分野】
【０００１】
本発明は例えばレトルトパウチ等の袋状容器を自立した状態に保持するための保持具に関する。
【背景技術】
【０００２】
近年、ラミネート加工された袋状の容器に、調理した食品を詰め、熱溶融により密封し、加圧加熱殺菌したレトルトパウチ食品が普及している。
このようなレトルトパウチ食品は開封し、そのままご飯等に全量かけて食するものもあるが、例えばベビーフードのようにそのまま完成食としてスプーン等を用いて子供に食べさせるものもある。
そのような場合に袋状の容器が倒れやすく、袋状の容器から食品を別の容器に移し替えないと食に供せない。
しかし、別の容器に移し替えるとなると、この別の容器を準備する必要があるだけでなく、使用後に洗浄しなければならなくなる。
特に屋外や外出先等にて、このような食品を供する場合に別の容器を携帯し、洗浄するのは不便である。
【０００３】
特許文献１に洗剤等の詰め替え用袋のパウチホルダーを開示するが、取扱いが大変である。
【先行技術文献】
【特許文献】
【０００４】
【特許文献１】特開２００１−３１１１７号公報
【発明の概要】
【発明が解決しようとする課題】
【０００５】
本発明はコンパクトに折り畳むことができ、取扱いが容易な、袋状容器を自立保持できる保持具の提供を目的とする。
【課題を解決するための手段】
【０００６】
本発明は、袋状容器を自立保持するための保持具であって、保持具はベース部材と、当該ベース部材に対して折り畳み自在に設けた一対の保持部材を備え、前記一対の保持部材は当該保持部材の間に袋状容器を挿入するものであるとともに、少なくとも一方の保持部材はベース部材に対して起立状態を維持するロック機構を有することを特徴とする。
【０００７】
ここで、袋状容器を自立保持するとは、袋状の容器が倒れないように保持できることをいい、袋状の容器を開封した状態で倒れないように保持できる。
ベース部材とは、一対の保持部材の間に袋状容器を立て掛けるように挿入するために、この一対の保持部材のうち、少なくとも一方を所定の角度に起立した状態に維持できるものをいう。
ベース部材は、このベース部材に対して一対の保持部材を起立させた状態にて、この一対の保持部材の間に袋状容器を自立保持できるものであれば構造に限定がない。
一対の保持部材はそれぞれがベース部材に対して折り畳み可能に備え、一方の保持部材がベース部材に対して所定の角度に起立するようにロックされ、他方の保持部がこの一方の保持部材に従動又は連動して起立状態に展開してもよい。
また、一対の保持部材の両方がそれぞれ単独でベース部材に対して折り畳み可能で且つ、起立状態をロックできるものでもよい。
一対の保持部材の折り畳み方向も、同一方向に折り畳む場合のみならず相互に対向する方向に折り畳むものも本発明に含まれる。
例えば、概ねプレート状のベース部材から略Ｌ字状又は略Ｔ字状に一対の保持部材が起立でき、且つ、この一対の保持部材がベース部材側に向けて倒れるように折り畳むことができるものでもよい。
また、ベース部材から略コ字状又はＨ字状に２つの保持部材がそれぞれ対向して起立してもよい。
この場合に保持部材はベース部材に対して折り畳み可能であれば、このベース部材との連結構造にも限定はない。
例えば、保持部材の一端側をベース部材側に軸着しても枢着してもよく、起立状態のロック機構にも限定がない。
保持部材の回動を許容しつつ、起立状態になった状態をロックできれば、例えば、回動を規制する突起が突没してもよく、保持部材が起立した際に倒れ込むのを規制したリンク機構でもよい。
また、保持部材を軸着し、起立した状態で軸部材に沿ってスライドさせることで倒れ込み規制手段に係止又は嵌合させてもよい。
本発明で、ベース部材を枠形状にし、この枠の内側に一対の保持部材を軸着、枢着等させると、一対の保持部材を折り畳んだ際にこの保持部材がベース部材の枠形状の内側に入り込むので、全体としてコンパクトになる。
【０００８】
本発明で、一対の保持部材は、ベース部材側に折り畳んだ状態から起立した状態に展開する際に、両方の保持部材の開放端側の間隔が予め所定の寸法に開いていて、そのまま袋状の容器を立て掛けるように挿入してもよいが、一対の保持部材のうち、少なくとも一方はベース部材に対して回動自在に連結してあるとともに、両方の保持部材の開放端側の間隔が相互に開閉自在であり、前記開放端側の間隔寸法が所定の大きさ以内に規制されているようにすると、折り畳む際に一対の保持部材同士も開放端側を閉じることができるので、全体としてさらにコンパクトになる。
【０００９】
本発明で一対の保持部材とベース部材との連結構造として、対向する２つの保持部材のうち一方の保持部材のみが、その端部でベース部材に枢着し、他方の保持部材は前記一方の保持部材に対して回動自在に取り付けてもよい。
また、両方の保持部材をベース部材に対して枢着し、一対の保持部材が所定の角度起立し、且つ前記開放端側の間隔寸法が所定の大きさになったときに前記ロック状態になるようにしてもよい。
このようなロック機構の例としては、ベース部材側にロック突部となる枢着軸を形成し、保持部材側に前記枢着軸に沿って回動するための略円形状の回動部と前記ロック突部に係合するロック凹部とを形成した構造例が挙げられる。
この場合に保持部材は回動状態からロック状態にスライド移動することになり一対の保持部材間にずれが生じる場合がある。
そこで、両方の保持部材間でのずれを防止するために、前記連結部は一対の保持部材間であって下端側の相互の位置関係を保つための位置合せ手段を有するのが好ましい。  
【００１０】
本発明で、一対の保持部材は概ね対向するその内側面のうち少なくとも一方又は両方に袋状容器の側面に吸着する吸着部材、又は粘着する粘着部材を有するようにすると、この一対の保持部材を相互に開くと、袋状の容器の側面がこの吸着部材や粘着部材によって引っ張られるので、袋状の容器の開封部を開いた状態にして保持することができる。
この吸着部材，粘着部材は、繰り返し使用できるのが好ましい。
【発明の効果】
【００１１】
本発明に係る袋状容器の保持具は、ベース部材と一対の保持部材を折り畳むことができるので、コンパクトになり、携帯するのに便利であり、使用の際にはベース部材に対して保持部材を起立させるだけで、一対の保持部材の間に袋状の容器を立て掛けるように保持できるので、容器が倒れることなく開封した状態に容易に使用できる。
【図面の簡単な説明】
【００１２】
【図１】本発明に係る保持具の外観図を示す。（ａ）は保持部材をベース部材に折り畳んだ状態を示し、（ｂ）は一対の保持部材を相互に開き、且つ起立状態にロックした状態を示す。
【図２】保持部材を起立させた状態の断面図を示す。
【図３】一対の保持部材を構成する第１保持部材と第２保持部材の斜視図を示し、（ａ）は第１保持部材、（ｂ）は第２保持部材である。
【図４】（ａ）はベース部材の内側に形成したロック突部を示し、（ｂ）は保持部材のロック状態を示す。
【図５】（ａ）は枢着部の縦断面図を示し、（ｂ）はその横断面図を示す。
【図６】折り畳んだ保持具の６面図を示す。（ａ）は平面図、（ｂ）は正面図、（ｃ）は底面図、（ｄ）は左側面図、（ｅ）は右側面図を示す。
【図７】保持部材を起立させた保持具を示す。（ａ）は平面図、（ｂ）は正面図、（ｃ）は底面図を示す。
【図８】保持部材を起立させた保持具を示す。（ａ）は左側面図、（ｂ）は右側面図を示す。
【図９】（ａ）は一対の保持部材の間に袋状容器を挟み込んだ状態を示し、（ｂ）は一対の保持部材を開き、袋状容器の口が開いた状態で保持された状態を示す。
【図１０】袋状容器の口を開いた状態に保持した斜視図を示す。
【図１１】相互の保持部材間の連結機構の変形例を示す。
【図１２】保持部材の枢着部及びロック機構の変形例を示す。
【発明を実施するための形態】
【００１３】
本発明に係る袋状容器の保持具１０の実施例を以下、図面に基づいて説明する。
図１（ａ）は保持具１０を折り畳んだ状態を示し、図１（ｂ）は一対の保持部材１２，１３をベース部材１１から起立させた状態を示す。
図１に示した保持具１０は、枠形状のベース部材１１の内側に、第１保持部材１２と第２保持部材１３とからなる一対の保持部材を折り畳み可能に枢着部Ｓにて枢着させた例になっている。
なお、ベース部材１１は、保持部材を折り畳むことができればよく、枠形状に限定するものではない。
また、ベース部材１１は、一対の保持部材１２，１３を起立状態に保持するスタンド機能を有する。
【００１４】
図３に示すように第１保持部材１２と第２保持部材１３は、下部の両側を内側方向に略９０°に折り曲げ形成した枢着部Ｓにて図４（ｂ）に示すようにベース部材１１に対してそれぞれ枠の内側に枢着するようになっている。
一対の保持部材１２，１３を回動可能に枢着するとともにロック機構として、枠形状のベース部材１１の内側に、上下方向に細長の略長方形からなるロック突部１１ａを対向配置してある。
これに対応して、第１保持部材１２と第２保持部材１３にはロック突部１１ａの上下方向の寸法Ｌと同等かあるいは、それよりも少し大きい内径からなる略円孔形状の回動部１２ａ，１３ａとこの回動部から上方に向けて凹んだロック凹部１２ｂ，１３ｂを形成してある。
また、第１保持部材１２と第２保持部材１３との枢着部Ｓは、一方に切り込み１２ｈを入れることで、他方の枢着部Ｓと干渉しないようになっている。
これにより、例えば図５（ａ）の状態から一対の保持部材１２，１３を上方に持ち上げるようにスライドさせると、ロック突部１１ａがロック凹部１２ｂ，１３ｂから外れ、回動部１２ａ，１３ａの内側に納まるので、保持部材１２，１３をベース部材１１側に折り畳むように回動させることができる。
また、第１保持部材１２と第２保持部材１３とが、それぞれ独立してベース部材１１側に回動自在に枢着されているので、図９（ａ）に示すように第１及び第２保持部材１２，１３の間に袋状容器１を挟み込むことができる。
この状態から図９（ｂ）に示すように、第２保持部材１３を第１保持部材１２に対して所定の角度だけ少し開くと、第１保持部材１２は図３（ａ）に示すように回動部１２ａから概ね垂直方向にロック凹部１２ｂが形成されているので、第１保持部材１２が略垂直方向に起立したまま下方に向けてスライド移動し、ロック凹部１２ｂとベース部材１１側のロック突部１１ａと係合し、ロック保持される。
これに対して第２保持部材１３は、図３（ｂ）に示すように回動部１３ａから上方が、第１保持部材１２側に所定の角度θだけ傾いた方向にロック凹部１３ｂを形成してあるので、この第２保持部材１３を第１保持部材１２に対してこの角度θ開いた状態にすると第２保持部材１３が下方にスライド移動し、ロック凹部１３ｂがロック突部１１ａに係合し、その状態がロック保持される。
この状態を図２及び図４（ｂ）に示す。
【００１５】
本実施例では、第１保持部材１２及び第２保持部材１３が回動状態とロック状態との間をスライド移動する際に相互にずれないように相互に相手側に向けて突出した半円状のリブ形状からなるリブ１２ｃ，１３ｃを枢着側端部に形成してあり、図３に示すようにリブ１２ｃ，１３ｃが相互に相手側の保持部材１２，１３の下端側であって、内側方向に折り曲げ形成した円弧部１２ｇ，１３ｇに摺接するようになっている。
これにより、保持部材が回動状態からロック状態にスライドする際に相互に干渉して一対の保持部材１２，１３が相互にずれることなく円弧端部１２ｆ，１３ｆが当接するように起立保持される。
なお、この第１保持部材１２と第２保持部材１３との下端側の位置がずれないように形成した位置合せ手段は、この実施例に限定されるものではなく、例えば図１１に示すように突起１１２ｃと溝１１３ｃとの組み合せでもよい。
【００１６】
本実施例では、コンパクトに折り畳んだ状態が保持できるように、例えば図２にて説明すると、ベース部材１１の開放側の内側下部付近に規制爪１１ｃを形成することで保持部材１２，１３がそれ以上回動しないように規制するとともに、第１保持部材１２の開放側先端に設けた係止突部１２ｅとベース部材１１に設けた係止突部１１ｂが相互に係止するようになっている。
【００１７】
本実施例では、図１（ｂ）に示すように第１及び第２保持部材の開放側の対向する内面に粘着部材１４，１５をそれぞれ形成するとともに、この粘着部材１４，１５同士が直接粘着しないようにそれぞれ隙間形成突部１２ｄ，１３ｄを形成してある。
従って、この隙間形成突部１２ｄ，１３ｄ同士が当接することで、粘着部材１４，１５の間に所定の隙間が形成されることになる。
このように一対の保持部材１２，１３の間に粘着部材１４，１５を設けたことにより、図９及び図１０に示すように、袋状容器を両側の保持部材１２，１３で挟んだ際に袋状容器１の側面に粘着するので、袋状容器１の端部１ａを切り取り、第２保持部材１３を所定の角度θに開くとそのまま袋状容器１の側面の粘着部材１４，１５により粘着されたまま、開口部１ｂが広がる。
これにより、袋状容器１の開口部１ｂが開いたまま保持されるので、スプーン２等を用いて食材を取り出すことが容易になる。
【００１８】
本発明に係る保持具１０は、コンパクトに折り畳んで持ち運びができ、使用時には一対の保持部材を回動及び起立できるものであれば、多くの形態が含まれる。
例えば、図１２に示すように保持部材１２，１３の下端部に起立状態で略水平方向に細長になるロック突部１１１ａを形成し、ベース部材１１に水平方向に長い溝状のロック凹部１１３ｂと回動部１１３ａを設けることで、保持部材１２，１３をベース部材１１の枠形状の一方に寄せて折り畳むことができ、使用時にはベース部材１１の中央部付近にスライド及び起立させるものでもよい。
また、一対の保持部材１２，１３の一方のみをベース部材１１に枢着させ、他方の保持部材をこの一方の保持部材に枢着保持させてもよく、さらには一方の保持部材に対してＬ字状に他方の保持部材を立設させてもよい。
【符号の説明】
【００１９】
１          袋状容器
１０        保持具
１１        ベース部材
１１ａ      ロック突部
１２        第１保持部材
１２ａ      回動部
１２ｂ      ロック凹部
１２ｃ      リブ
１３        第２保持部材
１３ａ      回動部
１３ｂ      ロック凹部
１３ｃ      リブ
１４        粘着部材
１５        粘着部材
Ｓ          枢着部
【図１】
2013147278.tif 000003
【図２】
2013147278.tif 000004
【図３】
2013147278.tif 000005
【図４】
2013147278.tif 000006
【図５】
2013147278.tif 000007
【図６】
2013147278.tif 000008
【図７】
2013147278.tif 000009
【図８】
2013147278.tif 000010
【図９】
2013147278.tif 000011
【図１０】
2013147278.tif 000012
【図１１】
2013147278.tif 000013
【図１２】
2013147278.tif 000014